(57)【特許請求の範囲】
【請求項１】
店舗照明用の複数の照明器具と；
照明器具を制御する照明制御装置と；
ＰＯＳ機能を備えたキャシュレジスタと；
照明制御装置およびキャッシュレジスタと連動していて売上、仕入れなどの管理をするとともに、店舗照明用のランプ、照明器具などの交換用資材を自動的に発注する店舗用コンピュータと；
遠隔地点に配設されて各店舗用コンピュータからの販売情報を収集分析して商品の発注を行うとともに、各店舗用コンピュータからの店舗照明用のランプ、照明器具などの交換用資材発注データを収集し、取引先に対して一括発注するホストコンピュータと；
店舗用コンピュータおよびホストコンピュータの間をデータ授受のために接続している通信手段と；
を具備していることを特徴とする店舗制御システム。
【発明の詳細な説明】
【０００１】
【発明の属する技術分野】
本発明は、店舗照明用のランプや照明器具などのメンテナンス管理を支援する店舗制御システムに関する。
【０００２】
【従来の技術】
従来、コンビニエンスストアなどの店舗、事務所、体育館、工場などで、適正照度の自動制御、レイアウトに応じた照明範囲の自由設定、昼光利用照明およびタイムスケジュール制御などを行えるようにして、省エネルギー、施設管理の省力化などを実現した照明制御装置の導入が増加している。
【０００３】
この照明制御装置における適正照度の自動制御について説明する。
【０００４】
図６は、適正照度制御の原理を説明する点灯時間と照度との関係を示すグラフである。
【０００５】
図において、横軸は蛍光灯器具の点灯時間を、縦軸は照度をそれぞれ示す。この図は照明制御装置による適正照度制御を行わない場合の照度変化を示している。蛍光ランプの点灯初期は設計照度よりかなり高い照度となる。しかし、点灯時間の経過とともに照度は低下していく。その原因は、蛍光ランプ自体の発光量の低下と照明器具の汚れ、すなわち反射板およびランプの汚れに伴う器具効率の低下である。しかし、蛍光ランプの平均寿命に対して前半の期間では設計照度より十分に高い照度である。このような段階で照明器具の反射板よび蛍光ランプを清掃すると、照度は再び上昇し、今度は上昇位置から徐々に低下していく。その後適当期間経過した時点で再度照明器具の反射板および蛍光ランプを清掃すると、また一時的に照度が上昇し、上昇位置から照度が低下していく。そして、やがて平均寿命時間に達する。この時点で蛍光ランプを交換するのが一般的である。
【０００６】
図６において、設計照度より上の斜線を施した領域が照明制御装置によって適正照度制御を行うことによって達成できる省エネルギー量である。すなわち、照明制御装置は、調光可能な蛍光灯器具に対してプログラムされた調光信号を供給する制御機能を備えている。そして、設計照度を超える分の明るさに相当するエネルギー消費をスケジュール制御または光センサによるフィードバックによる制御もしくはこれらの併用による制御によって抑制しようとするものである。
【０００７】
次に、照明制御装置によるタイムスケジュール管理について説明する。この管理は、一日のスケジュールにしたがい照明の点灯状態を自動的に切り換えるもので、始業前は適正照度より低くし、就業時間中は適正照度とし、昼休み中は照明を停止し、残業時間中は間引き点灯することにより、無駄な照明を止めて省エネルギーを行う。
【０００８】
さらに、外光利用制御について説明する。この制御は光センサを用いて任意に設定した光センサの動作レベル範囲内で外光量に応じて照度を制御するようにしたものである。
【０００９】
その他、場所、用途に応じて最適な点灯状態を予め設定するグループ・パターン制御やゾーン制御、消し忘れ防止制御などの多彩な制御を行えるように構成されている。
【００１０】
【発明が解決しようとする課題】
ところで、従来の照明制御装置は、ランプの交換や照明器具の清掃といったメンテナンスについて制御することができない。このため、メンテナンスは専ら管理者の注意に依存している。
【００１１】
しかし、このメンテナンスは比較的長い期間で行われるため、人の注意では忘れやすく、どうしても適切なメンテナンスが行われにくいという問題がある。
【００１２】
本発明は、店舗照明用のランプの交換や照明器具の交換や安定器の交換といったさらにスパンの長いメンテナンスをも行うことができる店舗制御システムを提供することを目的とする。
【００１３】
【課題を達成するための手段】
請求項１の発明の店舗制御システムは、店舗照明用の複数の照明器具と；照明器具を制御する照明制御装置と；ＰＯＳ機能を備えたキャシュレジスタと；照明制御装置およびキャッシュレジスタと連動していて売上、仕入れなどの管理をするとともに、店舗のランプ、照明器具などの交換用資材を自動的に発注する店舗用コンピュータと；遠隔地点に配設されて各店舗用コンピュータからの販売情報を収集分析して商品の発注を行うとともに、各店舗用コンピュータからの店舗照明用のランプ、照明器具などの交換用資材発注データを収集し、取引先に対して一括発注するホストコンピュータと；店舗用コンピュータおよびホストコンピュータの間をデータ授受のために接続している通信手段と；を具備していることを特徴としている。
【００１４】
そうして、本発明においては、店舗用コンピュータが、売上、仕入れなどの管理をするとともに、店舗照明用の複数の照明器具を制御する照明制御装置と連動して、店舗のランプ、照明器具などの交換用資材を自動的に発注する。店舗用コンピュータからのデータは、通信手段を介して店舗用コンピュータを統括するホストコンピュータに伝送される。ホストコンピュータは、店舗用コンピュータからの販売情報を収集分析し、商品の発注を行う。また、これらと並行して、店舗用コンピュータからの上記交換用資材発注データを収集し、取引先に対して一括発注を行う。
【００１５】
また、上述したように店舗用コンピュータからの上記交換用資材発注データをホストコンピュータに対して伝送し、ホストコンピュータが一括発注を行うのに加えて、所望により清掃の依頼を行えるように構成することもできる。この場合、ホストコンピュータは、各店舗用コンピュータからの清掃依頼をまとめて業者に一括依頼することができる。
【００１６】
さらに、所望により本発明の店舗制御システムの一態様として、店舗用コンピュータが照明制御装置およびキャッシュレジスタと連動していて売上、仕入れなどの管理をするのに加えて、照明器具のメンテナンス情報を表示するように構成することができる。
【００１７】
上記の構成によれば、店舗用コンピュータを利用してメンテナンス情報を表示することができるので、管理者にメンテナンス時期到来を適切に知らせることができる。
【００１８】
なお、本発明において、用語の定義ないし技術的意味は特に指定しない限り次による。
【００１９】
照明器具は、蛍光灯器具、白熱電球器具および高圧放電灯器具などいずれであってもよい。
【００２０】
照明制御装置は、店舗照明用の照明器具を制御するとともに店舗用コンピュータに連動する機能を発揮する構成を備えていればよく、従来の照明制御装置が有している各種機能は必須ではない。しかし、適正照度制御、タイムスケジュール制御、外光利用制御、グループ・パターン制御やゾーン制御および消し忘れ防止制御などの各種制御機能の一部または全部を具備していることは好ましいことである。
【００２１】
以下、本発明における照明制御装置の好適な構成例を示す。
【００２２】
本発明の照明制御装置の第1の構成例は、照明器具の作動時間およびまたは使用時間を積算して積算時間を出力する時間積算手段と；メンテナンス時間を設定する規定値設定手段と；積算時間がメンテナンス時間ないし所定時間前に到達した時に表示する表示手段と；を具備している。
【００２３】
上記第1の構成例において、照明器具の作動時間とは、照明器具を作動すなわち点灯させている時間をいう。照明器具を作動させている間、ランプの寿命は進行しているし、照明器具の汚れは作動させていないときより多いので、ランプの交換時期を積算するには、この動作時間を積算するのが適切である。
【００２４】
また、照明器具の使用時間とは、照明器具を設置している時間のことで、照明器具を作動させているか否かに関係ない。照明器具はたとえ作動させなくても設置しているだけでも汚れが生じるし、照明器具や安定器の交換時期を積算により求めるには、照明器具の使用時間でも適当である。
【００２５】
規定値設定手段は、ランプの交換、照明器具の清掃さらに要すれば照明器具の交換または安定器の交換といった各時期の一部または全部をそれぞれ設定するものである。
【００２６】
積算時間が規定値ないし所定時間前に到達したか否かは両者のデータを比較すればよい。そして、達した場合には、表示手段がそれを表示する。表示はディスプレイに表示するか、警報音を発生するか、いずれでもよいが、要すれば両者の表示を行うことができる。
【００２７】
そうして、本発明における照明制御装置の第1の構成例においては、ランプ、照明器具または安定器の交換時期や照明器具の清掃時期ないし当該時期が近づくと、その旨を表示手段が表示するので、管理者はそれを認知することができ、ランプ、照明器具、安定器のいった交換用資材の発注や清掃業者への清掃依頼を行うことができる。なお、照明制御装置内に自動的に交換用資材の発注や清掃依頼の機能を具備させてもよいし、これらの機能を外付けしてもよい。
【００２８】
本発明における照明制御装置の第２の構成例は、第１の構成例において、照明器具を予定のプログラムにしたがって調光する調光手段を具備している。
【００２９】
上記第２の構成例において、調光は連続的でも段階的でも、いずれでもよい。
【００３０】
予定のプログラムとは、時間、日、週、月または年単位のタイムスケジュール、たとえば外光に対する応動や設定スイッチによる所定の指令に対する応動などのプログラムにしたがった動作を含むものである。
【００３１】
そうして、上記第２の構成例においては調光によって無駄な照明を排除することにより省エネルギーを達成することもできる。
【００３２】
本発明における照明制御装置の第３の構成例は、第２の構成例において、調光手段は、照明空間を一定照度範囲に維持するように照明器具を調光する。
【００３３】
そうして、上記第３の構成例は適正照度制御することができる。外光を利用しもよいし、利用しなくてもよい。
【００３４】
本発明における照明制御装置の第４の構成例は、第３の構成例において、照度が一定照度範囲以下になった場合、そのときの照明器具の作動時間およびまたは使用時間の積算時間および一定照度以下になったときに表示すべく予め定めたメッセージを表示するメンテナンス時間値算定手段を具備している。
【００３５】
上記第４の構成例においては、照明空間のメンテナンス時間を合理的に算定することができるとともに、何らかの原因で当初設定した規定値より早くメンテナンスすべき状態になった場合に、これを表示により認識することができる。
【００３６】
まず、前者について説明する。設備導入当初にはメンテナンス時間を合理的に算定しにくい場合が比較的多い。一般に合理的メンテナンス時間を算定するには、相当量のデータの積み上げが必要であるからである。そこで、本発明においては規定値または規定値より所定時間前に到達するより早く一定照度に維持することができないほど照明器具が汚れたり、ランプの光出力が低下した場合、すなわち照明器具清掃またはランプ交換などのメンテナンスが必要な状態になった場合に、これをそのときの積算時間とともに、予定のメッセージをもって表示するので、上記積算時間が合理的な規定値に相当することになる。以後は規定値設定手段を操作して規定値を修正することにより、より合理的なメンテナンスを行うことができるようになる。
【００３７】
次に、後者すなわち予定より早いメンテナンスの必要性は、表示によりこれを知ることができるから、予定を早めてメンテナンスを行えばよい。
【００３８】
本発明における照明制御装置の第５の構成例は、第１ないし第４の構成例のいずれか一記載の照明制御装置において、メンテナンス時間は、ランプ交換時間を含んでいる。
【００３９】
上記第５の構成例においては、ランプ交換時間を必須とし、その他必要に応じて照明器具の清掃時間、照明器具の交換時間、安定器の交換時間をメンテナンス時間として含ませることができる。
【００４０】
本発明における発明の照明制御装置の第６の構成例は、第１ないし第５の構成例のいずれか一記載の照明制御装置において、メンテナンス時間は、照明器具の清掃時間を含んでいる。
【００４１】
上記第６の構成例においては、照明器具の清掃時間を必須とし、その他必要に応じてランプの交換時間、照明器具の交換時間、安定器の交換時間を含ませることができる。
【００４２】
本発明における照明制御装置の第７の構成例は、第１ないし第６の構成例のいずれか一記載の照明制御装置において、メンテナンス時間は、照明器具の交換時間を含んでいる。
【００４３】
上記第７の構成例においては、照明器具の交換時間を必須とし、その他必要に応じてランプの交換時間、照明器具の清掃時間、安定器の交換時間を含ませることができる。
【００４４】
本発明における照明制御装置の第８の構成例は、光センサの出力に応じて照明器具を一定照度範囲になるように制御する。
【００４５】
店舗制御システムは、照明空間の明るさを検出する光センサを具備する。
【００４６】
そうして、上記第８の構成例においては、照明制御装置を光センサとの協働下で照明空間が一定照度範囲になるように制御するものである。
【００４７】
【発明の実施の形態】
以下、本発明の実施の形態を図面を参照して説明する。
【００４８】
図１は、本発明における照明制御装置の一実施形態を示すブロック図である。
【００４９】
図において、１はマイクロコンピュータ、２は設定入力部、３は光センサ入力部、４はＥＥＰＲＯＭメモリ、５はリアルタイムクロック、６は電源、７は表示部、８はブザー、９は調光信号出力部、１０は警告信号出力Ｉ／Ｆ、１１は発振器、１２はリセット部、１３はケースである。
【００５０】
マイクロコンピュータ１は、照明メンテナンスに関しては時間積算、規定値設定および警告出力機能を備えている。その他にも調光制御機能およびタイムスケジュール制御機能などを備えている。このマイクロコンピュータ１を中心に各入力部２、３、メモリ４、各表示部７、８および各出力部９、１０が組織的に動作するように構成されている。
【００５１】
そうして、設定入力部２を操作してランプの交換時間およびを照明器具の清掃時間の規定値を設定する。設定入力部２はスイッチとＬＥＤなどの表示手段とから構成されている。そして、たとえば蛍光ランプの交換時間を１２，０００時間と入力された規定値はＥＥＰＲＯＭメモリ４において記憶される。
【００５２】
一方、照明器具の作動時間はリアルタイムクロック５で積算され、メモリ４の規定値と照合されており、積算時間がランプの交換時間または照明器具の清掃時間の５日前の１１８８０時間に到達すると、表示部７に交換時間到達の旨としてたとえば「ランプ交換時期です。ランプ交換を行ってください。」が表示されるとともにブザー８が作動して、管理者に警告する。なお、照明器具の清掃に対しては「器具の清掃時期です。器具清掃を行ってください。」のメッセージが表示される。ブザーについては、１秒の断続音を５秒間、１２時間置きに１２０００時間まで鳴動させる。
【００５３】
そこで、管理者は予め保有しているランプに交換するか、手持ちがないときは交換用ランプを発注する。照明器具の清掃時間の場合は自ら清掃するか、清掃業者に清掃依頼をすることができる。
【００５４】
以上の表示の他に、警告信号出力Ｉ／Ｆにも警告出力信号が送出される。警告信号出力Ｉ／Ｆをたとえばコンピュータに接続しておくと、コンピュータから交換用資材発注または清掃業者に清掃依頼をするように構成することができる。
【００５５】
次に、調光信号出力部９について説明する。この調光信号出力部９は複数の照明器具に伝送線（いずれも図示しない。）を介して調光信号を送出する。そして、この調光信号出力部９は適正照度制御、タイムスケジュール制御および光センサ制御等の制御のために照明器具に対して所要の調光操作信号を照明器具のアドレスを付加して送出する。各照明器具は自己のアドレスが付加された制御信号を受信し、制御信号に対応して調光点灯する。
【００５６】
図２は、本発明の店舗制御システムの一実施形態を示すシステム図である。
【００５７】
図において、２０は電源、２１は照明制御装置、２２は光センサ、２３は制御信号伝送線、２４は複数の照明器具、２５は店舗用コンピュータ、２６は通信手段、２７はホストコンピュータ、２８は取引先である。
【００５８】
照明制御装置２１は、たとえば図１に示す構成のものが用いられる。図１と同一部分には同一符号を付してある。制御信号伝送線２３は所要本数が照明器具に対して延伸している。照明器具２４にはその単体またはグループに対してアドレスが設定されていて、自己のアドレスが付された制御信号のみを受信するように構成されている。また、照明器具から制御信号を要求し、または照明制御装置に対して自ら信号を送信するときは自らのアドレスを付加するように構成されている。
【００５９】
店舗用コンピュータ２５は、ＰＯＳ機能付きのキャッシュレジスタ２５ａと連動してＰＯＳデータを処理する。また、照明制御装置２１の警告信号出力Ｉ／Ｆから警告信号を接点信号、オープンコレクタ信号またはシリアル伝送信号により受信する。この店舗用コンピュータ２５は、店舗全体の管理を行っており、ディスプレイ２５ｂに警告表示を行う。また、この店舗用コンピュータから直接取引先に資材発注または清掃依頼をするようにしてもよい。
【００６０】
ホストコンピュータ２７は店舗用コンピュータ２５に対して遠隔地に所在して各地の店舗用コンピュータ２５と通信媒体２６を介してネットワークを形成している。そして、ホストコンピュータ２７は各店舗用コンピュータ２５から販売情報を収集分析し、商品の発注などを行う。これらと並行して、店舗用コンピュータ２５からのランプ、照明器具などの資材発注データと清掃依頼データを収集し、取引先２８に対して一括発注または依頼を行う。
【００６１】
通信媒体２６は、たとえばＮＴＴ回線などの通信回線を意味する。
【００６２】
図３は、図２における店舗用コンピュータのデータ処理の一実施形態を示すフロー図である。
【００６３】
照明メンテナンス処理について説明する。本実施形態は、照明制御装置からシリアル伝送信号によりデータを受信する形態である。すなわち、シリアル信号Ｉ／Ｆを介して照明制御装置とのシリアル送受信処理を行い、ランプ交換時期、器具清掃時期、安定器交換時期および器具交換時期の各フラグを立て、照明制御データ解析処理を行う。データ解析処理の結果すなわちランプ交換時期、器具清掃時期、安定器交換時期および器具交換時期の到来が解析されると、前述のメッセージが表示処理を経てディスプレイに表示され、印字処理を経てプリンタに打ち出すことができ、さらに通信処理を経てホストコンピュータに交換用資材発注および清掃業者への清掃依頼のためのデータを自動的に通信する。
【００６４】
また、この店舗用コンピュータは、照明メンテナンスデータ解析の他に本来業務である売上、在庫および商品発注の処理を行う。
【００６５】
なお、キー入力によって起動プログラムを作動させて起動するのは、通常のコンピュータと同じである。
【００６６】
図４は、店舗用コンピュータの照明メンテナンス処理におけるプリンタ出力のフォーマットを示す図である。
【００６７】
フォーマットの項目欄にはランプ交換、器具清掃などの項目が印字される。発注欄には発注済みの場合は済みと印字される。
【００６８】
図５は、店舗用コンピュータの商品処理におけるプリンタ出力のフォーマットを示す図である。
【００６９】
【発明の効果】
本発明によれば、店舗照明用の複数の照明器具を制御する照明制御装置とＰＯＳ機能を備えたキャシュレジスタと店舗用コンピュータが連動して、店舗用コンピュータが売上、仕入れなどの管理をするとともに、店舗のランプ、照明器具などの交換用資材を自動的に発注し、ホストコンピュータが各店舗用コンピュータからの交換用資材発注データを収集し、各店舗における店舗照明用のランプ、照明器具などの交換用資材の発注を一括して行う店舗照明システムを提供することができる。
【図面の簡単な説明】
【図１】  本発明における照明制御装置の一実施形態を示すブロック図
【図２】  本発明の店舗制御システムの一実施形態を示すシステム図
【図３】  図２における店舗用コンピュータのデータ処理の一実施形態を示すフロー図
【図４】  店舗用コンピュータの照明メンテナンス処理におけるプリンタ出力のフォーマットを示す図
【図５】  店舗用コンピュータの商品処理におけるプリンタ出力のフォーマットを示す図
【図６】  適正照度制御の原理を説明する点灯時間と照度との関係を示すグラフ
【符号の説明】
２１…照明制御装置
２２…光センサ
２３…制御信号伝送線
２４…照明器具
２５…店舗用コンピュータ
２６…通信媒体
２７…ホストコンピュータ
【図１】
0003752736.tif 000002
【図２】
0003752736.tif 000003
【図３】
0003752736.tif 000004
【図４】
0003752736.tif 000005
【図５】
0003752736.tif 000006
【図６】
0003752736.tif 000007